(57)【要約】【課題】重量化することなく曲げ剛性を高めた穂先竿杆を有する釣竿を提供する。【解決手段】本発明に係る釣竿は、金属製の中空パイプ１３を具備する穂先竿杆１２を有している。金属製の中空パイプ１３による穂先竿杆の曲げ剛性を向上させるように、中実状のソリッド体１５を金属製の中空パイプ１３の内部に嵌入したことを特徴とする。【選択図】  図２
2016136926.tif 000002
【特許請求の範囲】
【請求項１】
金属製の中空パイプを具備する穂先竿杆を有する釣竿であって、
前記金属製の中空パイプによる穂先竿杆の曲げ剛性を向上させるように、中実状のソリッド体を前記金属製の中空パイプの内部に嵌入したことを特徴とする釣竿。
【請求項２】
前記ソリッド体は、繊維強化樹脂製であることを特徴とする請求項１に記載の釣竿。
【請求項３】
前記金属製の中空パイプとソリッド体は、接着剤によって固定されていることを特徴とする請求項１又は２に記載の釣竿。
【請求項４】
前記ソリッド体の外面には、前記金属製の中空パイプの内面と圧接して軸方向の移動を規制するテーパが形成されていることを特徴とする請求項１から３のいずれか１項に記載の釣竿。
【請求項５】
前記ソリッド体は、穂先側が前記金属製の中空パイプの端面から突出していることを特徴とする請求項１から４のいずれか１項に記載の釣竿。
【請求項６】
前記穂先竿杆は、穂先部と穂持部によって構成され、
前記穂先部は、前記金属製の中空パイプとソリッド体によって構成され、
前記穂持部は、繊維強化樹脂製の管状体で構成され、
前記穂先部と穂持部は、継構造によって一体化されていることを特徴とする請求項１から５のいずれか１項に記載の釣竿。
【請求項７】
金属製の中空パイプの内面に対して嵌入され、前記中空パイプの曲げ剛性を向上させる中実状のソリッド体を有することを特徴とする穂先竿杆。
【発明の詳細な説明】
【技術分野】
【０００１】
本発明は、釣竿に関し、詳細には、穂先竿杆に特徴を有する釣竿に関する。
【背景技術】
【０００２】
一般的に、釣竿は、軽量化を図るために、強化繊維を特定方向に引き揃え、これに合成樹脂を含浸したいわゆるプリプレグを巻回した管状体で構成されているが、穂先（穂先竿杆）に関しては、強度を向上するために、例えばニッケル−チタン合金のような金属製の中実材を用いることがある。このような金属製の中実材は、柔らかく、大きく撓ませることが可能であるものの、釣竿の種類によっては、ある程度、硬い調子（高弾性）にしたいことがある。金属製で中実状の穂先竿杆を高弾性にするためには、径を太くする必要があるが、径を太くすると重量化してしまい、穂先竿杆としては好ましくない。
【０００３】
このため、穂先竿杆に金属製の中空パイプを用いることが考えられる（例えば特許文献１参照）。この特許文献１に開示されている穂先竿杆は、穂先部と、これを継合する穂持部で構成されており、穂先竿杆の内、穂先側の一定範囲を金属製の中空パイプで構成している。
【先行技術文献】
【特許文献】
【０００４】
【特許文献１】特開２０１４−８７３００号
【発明の概要】
【発明が解決しようとする課題】
【０００５】
上記した公知技術のように、穂先竿杆を金属製の中空パイプで構成することにより、軽量化を保ちつつ剛性を高くすることが可能であるが、さらに剛性を高めたい場合には限界がある。すなわち、穂先竿杆であるために、径を太くするには限界があり、径を太くすることなく剛性を高めるために肉厚を厚くすると、重量化するという問題が生じる。一方、穂先竿杆をカーボンソリッド（ＦＲＰによる中実体）で構成することも知られているが、先細りとなるように表面にテーパ加工を施すと、強化繊維が切れて剥離し易い等、強度の面で問題が生じてしまい、更には、外観の面においても劣ってしまう。
【０００６】
本発明は、上記した問題に着目してなされたものであり、重量化することなく曲げ剛性を高めた穂先竿杆を有する釣竿を提供することを目的とする。
【課題を解決するための手段】
【０００７】
上記した目的を達成するために、本発明に係る釣竿は、金属製の中空パイプを具備する穂先竿杆を有しており、前記金属製の中空パイプによる穂先竿杆の曲げ剛性を向上させるように、中実状のソリッド体を前記金属製の中空パイプの内部に嵌入したことを特徴とする。
【０００８】
上記した構成の釣竿は、穂先竿杆が金属製の中空パイプで構成されているため、曲げ剛性が高まり、軽量化が図れるようになる。また、金属製の中空パイプの内部に中実状のソリッド体を嵌入していることで、径を太くしたり重量化することなく剛性を高めることが可能になるとともに、光沢性のある金属外観を維持することができる。
【０００９】
なお、上記した穂先竿杆は、釣竿の複数の竿杆の内、１番目の竿杆（１番節）全体を構成していても良いし、穂先部と穂持部によって構成されたものであっても良い。後者の場合、穂先部が金属製の中空パイプと、これに嵌入されるソリッド体によって構成されており、穂持部は、例えば繊維強化樹脂製の管状体で構成され、両者が継構造によって一体化されていれば良い。
【００１０】
また、本発明は、上記した目的を達成するために、複数本の竿杆を継合して構成される釣竿において、穂先竿杆に特徴を備えており、そのような穂先竿杆は、金属製の中空パイプの内面に対して嵌入され、前記中空パイプの曲げ剛性を向上させる中実状のソリッド体を有することを特徴とする。
【発明の効果】
【００１１】
本発明によれば、重量化することなく、曲げ剛性を高めた穂先竿杆を有する釣竿が得られる。
【図面の簡単な説明】
【００１２】
【図１】本発明の一実施形態に係る釣竿の全体図。
【図２】図１に示す釣竿の穂先竿杆の構成を示す断面図。
【図３】穂先竿杆の第２の実施形態を示す断面図。
【図４】（ａ）〜（ｃ）は、それぞれ穂先竿杆を構成する穂先部と穂持部の継構造の構成例を示す断面図。
【図５】穂先竿杆と中竿杆（２番竿杆）の継合構造の第１の例を示す断面図。
【図６】穂先竿杆と中竿杆（２番竿杆）の継合構造の第２の例を示す断面図。
【図７】穂先竿杆と中竿杆（２番竿杆）の継合構造の第３の例を示す断面図。
【発明を実施するための形態】
【００１３】
以下、本発明に係る釣竿の実施形態について添付図面を参照して具体的に説明する。  
図１は本発明に係る釣竿の一例を示した全体図である。本実施形態の釣竿１は、継式釣竿であり、元竿杆１０と、複数の中竿杆１１ａ〜１１ｆと、穂先竿杆１２とが振出式に継ぎ合わされた構成となっている。なお、釣竿１は、リールを装着するリールシートや、釣糸を案内する釣糸ガイド等を装着した外ガイド方式の釣竿であっても良い。また、図に示す釣竿は、並継式や逆並継式の釣竿であっても良い。
【００１４】
前記元竿杆１０、及び中竿杆１１ａ〜１１ｆは、公知のように、エポキシ樹脂、ポリエステル樹脂等の合成樹脂を、炭素繊維等の強化繊維で強化した繊維強化樹脂製の管状体として構成されている。
【００１５】
図２は、図１に示す釣竿の穂先竿杆１２を示しており、軸方向に沿った断面図である。
本実施形態の穂先竿杆１２は、両端が開口する円筒状に形成された金属製の本体（金属製の中空パイプ）１３と、本体１３の内部に嵌入される中実状のソリッド体１５とを備えており、これらが中竿杆１１ｆと継合される穂先竿杆１２を構成している。
【００１６】
前記本体１３は、例えば、Ｎｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金，βチタン合金（β相：体心立方晶）等の材料を用いて円筒状に形成されており、その内面１３ａ及び外面１３ｂは、ストレート状に形成されている。なお、外面１３ｂについては、センタレス研削盤等を用いて、図示のように、先端に向けて次第に縮径化するようにテーパ１３ｂ´を形成しても良い。このようにテーパを形成することにより、穂先側を撓み易くすることが可能となる。
【００１７】
前記本体１３の内部に嵌入されるソリッド体１５は、前記本体（金属製の中空パイプ）１３そのものの曲げ剛性を向上させる材料によって構成されている。本実施形態では、本体１３と同じ軸方向長さを有するものが用いられ、本体１３の内部空間に対して嵌入できるように予め円柱状に形成されており、表面に接着剤を塗布し、本体１３に対し軸方向から嵌入することで、本体１３の内面１３ａに接着固定されている（図２において、符号Ｇで示す部分が接着層となる）。
【００１８】
ソリッド体１５は、上記したように、嵌入した状態で穂先竿杆の曲げ剛性を向上させるものであれば良く、曲げ弾性率が本体１３よりも大きいものを用いることで、効率的に穂先竿杆１２全体を高剛性化することができる。具体的に、本実施形態のソリッド体は、基端から先端まで連続する強化繊維（例えばカーボン繊維、ガラス繊維など）に合成樹脂を含浸した繊維強化樹脂材料によって円柱状（棒状体）に形成されたものが用いられる。このようなソリッド体１５は、引き抜き成形法によって製造することが可能であり、曲げ弾性率が２０〜４０ｔ／ｍｍ2 程度あり、Ｎｉ−Ｔｉ系合金の曲げ弾性率（６．０〜８．０ｔ／ｍｍ2 ）と比較すると十分に高く、両者を一体化することで、全長に亘って穂先竿杆１２そのものの剛性を高めることが可能となる。また、比重についても、１．２〜１．８程度であり、Ｎｉ−Ｔｉ系合金（比重６．４〜６．６）と比較すると十分に軽く、本体１３の内部空間に接着しても、穂先竿杆を重量化することもない。
【００１９】
すなわち、金属製の中空パイプ内に上記したような繊維強化樹脂製のソリッド体１５を固定することにより、穂先竿杆を大径化したり重量化することなく、金属色の外観を維持したまま容易に高剛性化することが可能となる。また、内部に配設されるソリッド体１５は、外側が金属製の中空パイプによって覆われた状態になるため、穂先竿杆が大撓みしても素材剥離が生じることはなく、かつ、外側が金属素材で覆われた状態になるため、大撓みしても潰れ等が生じることもない。
【００２０】
上記したような円柱状のソリッド体１５は、軸長方向にストレート状に延びた強化繊維が多数本束ねられたもの、何本かの強化繊維が軸長方向に沿って縒られて複数本束ねられているもの、これらが組み合わされたもの等、強化繊維の配置の仕方については限定されることはない。或いは、強化繊維が軸長方向に連続していなくても良く、例えば、押出し成型機を用いて、合成樹脂にカーボン繊維やガラス繊維（短繊維や長繊維）を多数分散した繊維強化樹脂材の棒状体で構成することも可能である。このようなソリッド体１５は、本体１３の内部空間の大きさに合わせて棒状体に形成することができ、容易に本体１３内に固定することが可能となる。
【００２１】
上記したソリッド体１５は、表面１５ａにテーパを削加工等によって形成しておき、本体１３の内面１３ａと圧接して軸方向の移動を規制するように構成されていても良い。  
このような構成では、本体１３とソリッド体１５が軸方向に着脱可能にすることも可能となるため、ユーザの好みに応じて穂先竿杆の剛性を容易に変えることが可能となる。すなわち、ソリッド体１５を本体１３から取り外すことで、穂先竿杆を撓み易い特性に変更することが可能となる。
【００２２】
また、ソリッド体１５は、穂先側が本体１３の端面１３ｃから突出するようにしても良い（図３参照）。
このように、ソリッド体１５を本体１３の端面から突出させることで、突出した穂先側が撓み易くなり、感度の良い穂先竿杆とすることが可能となる。
【００２３】
図３は、穂先竿杆の第２の実施形態を示す断面図である。
図に示すように、本実施形態の穂先竿杆１２は、図に示すように、穂先部１２Ａと穂持部１２Ｂによって構成されている。
【００２４】
前記穂先部１２Ａは、上記した実施形態と同様、金属製の中空パイプ（本体１３）と、これに嵌入されるソリッド体１５によって構成されており、前記穂持部１２Ｂは、繊維強化樹脂製の管状体１６で構成されている。そして、穂先部１２Ａと穂持部１２Ｂは、継構造（合わせ構造）１８によって一体化されている。
【００２５】
穂先部１２Ａと穂持部１２Ｂの継構造１８は、図に示すように、ソリッド体１５を本体１３の後端１３ｄから突出させ、この突出部分を、穂持部を構成する管状体１６に嵌入、接着することで構成される。このような継構造によれば、本体１３と管状体１６は、それぞれ後端１３ｄと先端１６ａが突き当てられて重なることがないため、剛性変化を少なすることが可能となる。
【００２６】
図４（ａ）〜（ｃ）は、それぞれ穂先部１２Ａと穂持部１２Ｂの継構造の構成例を示す断面図である（継構造をデフォルメしてわかり易いように図示する）。
図４（ａ）に示す継構造は、本体１３の基端部に強化繊維に合成樹脂を含浸したシート部材（プリプレグシート）を巻回し、これを加熱、硬化することで多少の肉厚を有する継部２０を形成し、これを管状体１６に嵌入、接着することで穂先部１２Ａと穂持部１２Ｂを継合している。継部２０の表面には、先端側に向けて縮径するテーパ２０ａと、基端側に向けて縮径する２０ｂが形成されており、テーパ２０ｂに管状体１６の内面を当て付けることで位置決めするようにしている。また、このように、テーパ２０ａ，２０ｂを形成することにより、剛性変化を緩和することが可能となる。
【００２７】
図４（ｂ）の穂先竿杆１２の穂先部１２Ａは、ソリッド体１５の基端側を短く構成したものであり、その短くした部分に、図４（ａ）に示す継部２０と同様な構成の継部を形成している。
通常、継構造１８の領域では、剛性が高まることから、継部２０の部分にソリッド体１５を配設しないようにすることで、竿杆全体として剛性変化を少なくすることが可能となる。
【００２８】
図４（ｃ）に示す継構造は、本体１３の基端部の外面を切削加工することで、本体１３そのものに図４（ａ）に示すような継部２０を形成したものであ。
このような構成によれば、本体１３にプリプレグシートを巻回して、切削等する必要が無いため、製造が容易になるとともに精度を向上することが可能となる。
【００２９】
なお、図４（ａ）〜（ｃ）では、穂先部１２Ａと穂持部１２Ｂの継合部分を示したが、これらの継構造については、並継式の釣竿において、穂先竿杆１２と中竿杆１１ｆ部分の継合構造に適用しても良い。すなわち、図４（ａ）〜（ｃ）に示した継構造において、穂先部１２Ａを穂先竿杆１２とし、管状体１６を中竿杆１１ｆとすることで、穂先竿杆と中竿杆の継合構造としても良い。
【００３０】
図５〜図７は、それぞれ穂先竿杆と中竿杆の継合構造の構成例を示す図である。
図５に示す構成例は、本体１３の外面１３ｂの基端側のテーパ１３ｂ´と、中竿杆１１ｆの先端側の内面１１ｇのテーパ１１ｇ´の圧接関係によって、穂先竿杆１２を矢印方向に振り出した際に係止されるように構成したものである。
【００３１】
図６に示す構成例は、本体１３の外面１３ｂの基端側に、基端側に向けて縮径するテーパ１３ｂ´´を形成するとともに、中竿杆１１ｆの先端側の内面１１ｇに、先端側に向けて拡径するテーパ１１ｇ´´の圧接関係によって、穂先竿杆１２を矢印方向に差し込んだ際に係止されるように構成したものである。
【００３２】
図７に示す構成例は、ソリッド体１５を本体１３の後端１３ｄから突出させ、その突出部分にプリプレグシートを巻回、硬化して継部２１を形成したものである。継部２１の先端側は部分的に本体１３の外面に重ねられており、その表面には、先端側に向けて縮径するテーパ２１ａと、基端側に向けて縮径する２１ｂが形成されており、テーパ２１ｂに中竿杆１１ｆの内面１１ｇを当て付けることで位置決めするようにしている。
このように、継部２１を繊維強化樹脂で形成するとともに、その先端側を本体１３の外面に重ね、テーパ２１ａ，２１ｂを形成することにより、両竿杆部分の剛性変化を調整することが可能となる。
【００３３】
なお、図５〜図７に示す継合構造は、穂先竿杆１２と中竿杆１１ｆの継合部分を示したが、上述した実施形態のように、穂先竿杆の穂先部と穂持部の継構造に適用しても良い。すなわち、図５〜図７に示した継合構造において、穂先竿杆１２を穂先部とし、中竿杆１１ｆを穂持部とすることで、穂先部と穂持部の継構造としても良い。
【００３４】
以上、本発明の実施形態を説明したが、本発明は、上記した実施形態以外にも、適宜変形することが可能である。例えば、本実施形態の釣竿は、多数本の竿杆を継合する構成となっていたが、上記した特徴の穂先を有する１本竿として構成されていても良い。また、穂先竿杆（中空パイプ１３及びソリッド体１５）の断面形状については、断面円形としたが、楕円状にするなど、断面が非円形であっても良い。また、ソリッド体１５については、中空パイプ１３の内部空間に嵌入できるように柱状に形成されて穂先竿杆の剛性を高める機能があれば良く、上述したような強化繊維を含まない材料で構成されていても良い。さらに、中空パイプ１３及びソリッド体１５に形成されるテーパは、一部にストレート部分が存在するもの、一部に大径部が存在するもの、テーパ率が異なってものを組み合わせたもの、階段状に細径化するもの等を含む概念である。
【符号の説明】
【００３５】
１  釣竿
１２  穂先竿杆
１２Ａ  穂先部
１２Ｂ  穂持部
１３  本体（金属製の中空パイプ）
１５  ソリッド体
１８  継構造
【図１】
2016136926.tif 000003
【図２】
2016136926.tif 000004
【図３】
2016136926.tif 000005
【図４】
2016136926.tif 000006
【図５】
2016136926.tif 000007
【図６】
2016136926.tif 000008
【図７】
2016136926.tif 000009